(57)【要約】本考案は、タンク（２）、製品放出開口（３）及び、タンク（２）内に存在する製品を製品放出開口（３）を通じて外方へ放出するための放出機構（４）を備えた容器（１）であって、上記容器（１）に音発生器（５）又はノイズダンパー（１３）が設けられているものに関する。音発生器（５）及び／又はノイズダンパー（１３）は、機能的に放出機構（４）と接続されており、製品を放出する際に所望の製品放出音を発生させる。所望の音は、使用者にとって好ましい音として知覚されるものである。【選択図】　図１
0003099331.tif 000002
【実用新案登録請求の範囲】
【請求項１】
タンク、製品放出開口及び、前記タンク内に存在する製品を前記製品放出開口を通じて外方へ放出するための放出機構を有する容器であって、音発生器（５）又はノイズダンパー（１３）が前記容器（１）に備えられ、かつ、前記音発生器（５）又は前記ノイズダンパー（１３）が、製品を放出する際に所望の製品放出音を発生させるために前記放出機構（４）と機能的に接続されていることを特徴とする容器。
【請求項２】
前記容器（１）がエーロゾル容器又は噴霧ポンプ容器であって、ノズル（１２）へと延びる噴霧管（１０）が前記容器（１）上に備えられ、しかも前記噴霧管（１０）は、数学的な意味で連続した経路をその内壁（１５）に関して、特に前記噴霧管（１０）の屈曲部（１４）内に有していることを特徴とする請求項１に記載の容器。
【請求項３】
少なくとも１つの音響リブ（１６）が、前記噴霧管（１０）に備えられており、そのリブが特に、前記噴霧管（１０）より外方へ放射状に配置されていることを特徴とする請求項１又は請求項２に記載の容器。
【請求項４】
前記噴霧管（１０）、好ましくはステム（１１）の周辺が、ノイズダンパー（１３）としての吸音材料、特に発泡又はエラストマー材料（１７，１８）で包囲されていることを特徴とする請求項１、請求項２又は請求項３に記載の容器。
【請求項５】
前記噴霧管（１０）が、吸音材料、特に選択的に吸音する材料から成るいくつかの層（１９）によって包囲されており、かつ、少なくとも１つの層（１９）が発泡材料（１７）又は非発泡材料（１８）、好ましくは熱可塑性エラストマー又は熱可塑性ポリウレタンを含んでいることを特徴とする請求項４に記載の容器。
【請求項６】
前記ノイズダンパー（１３）が前記噴霧管（１０）の周りに配置される螺旋体（２０）であって、前記螺旋体（２０）が、好ましくは　波形に形成された紙又はティッシュペーパーからなっていることを特徴とする請求項１に記載の容器。
【請求項７】
前記容器（１）上に載置され得るキャップ（７）のボタン（６）が、放出機構…（４）として備えられ、このボタン（６）が前記噴霧管（１０）の前記壁（１５）に機械的に作用し、かつ、前記壁（１５）は、前記容器（１）のステム（１１）に機械的に作用することを特徴とする請求項１、請求項３、請求項４又は請求項６に記載の容器。
【請求項８】
前記噴霧管（１０）の前記材料（１８）が、前記音響リブ（１６）の前記材料（１７）よりも硬いか、或いは柔らかいことを特徴とする請求項１に記載の容器。
【請求項９】
少なくとも１つの補剛リブ（２１）が前記噴霧管（１０）に備えられていることを特徴とする請求項１又は請求項８に記載の容器。
【請求項１０】
前記音響リブ（１６）が、少なくとも１つの接続部（２２）を用いることによって、前記容器上に載置され得るキャップ（７）の内表面へと、特に射出成形で、接続されていることを特徴とする請求項３又は請求項８に記載の容器。
【請求項１１】
前記容器がエーロゾル容器又は噴霧ポンプ容器であって、ノズル（１２）へと延びる噴霧管（１０）が前記容器（１）上に設けられており、前記噴霧管（１０）は、前記噴霧管（１０）内に延びる管の入れ子（２４）を有しているか、或いは前記噴霧管（１０）が、特に互いに平行に延びている数本の支流管（２５）から成っているかのいずれかであることを特徴とする請求項１に記載の容器。
【請求項１２】
前記容器がエーロゾル容器又は噴霧ポンプ容器であって、ノズル（１２）へと延びる噴霧管（１０）が前記容器（１）上に設けられており、前記噴霧管（１０）は、ある周波数範囲では音発生器（５）として機能し、また別の周波数範囲ではノイズダンパー（１３）として機能する前記噴霧管（１０）の延長部分（２６）を有していることを特徴とする請求項１に記載の容器。
【請求項１３】
前記容器がエーロゾル容器又は噴霧ポンプ容器であって、ノズル（１２）へと延びる噴霧管（１０）が前記容器（１）に設けられており、前記噴霧管（１０）は、前記噴霧管（１０）より外方へ向くように方向付けられた多数のハニカム（２７）を有するハニカム構造体（２９）によって包囲されており、前記ハニカム（２７）は特に、前記噴霧管（１０）に対して放射状に配置されていることを特徴とする請求項１に記載の容器。
【請求項１４】
サウンドチップ（３０）が、音発生器（５）として備えられていることを特徴とする請求項１〜請求項１３の少なくともいずれか１項に記載の容器。
【請求項１５】
前記サウンドチップ（３０）がプログラム可能になっていることを特徴とする請求項１４に記載の容器。
【請求項１６】
前記サウンドチップ（３０）には、選択することが可能な数個のプログラムが含まれていることを特徴とする請求項１５に記載の容器。
【請求項１７】
前記選択は前記放出機構（４）の位置に依存することを特徴とする請求項１６に記載の容器。
【請求項１８】
前記サウンドチップ（３０）が、少なくとも１つのスピーチプログラム、特にアドバイスプログラムを含んでいることを特徴とする請求項１４〜請求項１７の少なくともいずれか１項に記載の容器。
【請求項１９】
前記容器がエーロゾル容器又は噴霧ポンプ容器であって、ノズル（１２）へと延びる噴霧管（１０）が前記容器（１）に設けられており、前記噴霧管（１０）は、ある周波数範囲では音発生器（５）として機能し、また別の周波数範囲ではノイズダンパー（１３）として機能する数本の単一導管（３５）を有していることを特徴とする請求項１に記載の容器。
【請求項２０】
前記容器がエーロゾル容器又は噴霧ポンプ容器であって、ノズル（１２）へと延びる噴霧管（１０）が前記容器（１）に設けられており、前記噴霧管（１０）は、ある周波数範囲では音発生器（５）として機能し、また別の周波数範囲ではノイズダンパー（１３）として機能する唇状部（３６）を有していることを特徴とする請求項１に記載の容器。
【請求項２１】
前記容器（１）はエーロゾル容器であって、弁板における吸収体（３８）が前記エーロゾル容器の弁板（３７）上においてノイズダンパー（１３）として設けられていることを特徴とする請求項１に記載の容器。
【請求項２２】
前記弁板における吸収体（３８）が、前記弁板（３７）に適用された吸音材料、特にポリウレタンラッカー(３９）又はポリウレタン発泡体(４０）から成る層であることを特徴とする請求項２１に記載の容器。
【請求項２３】
前記容器（１）はエーロゾル容器であって、噴霧管（１０）の端部にある出口に差込口（４２）を備えており、前記差込口(４２）はノズル(１２）を備えており、しかも前記差込口(４２）は柔軟なプラスチックから成っているか、或いは前記差込口(４２）が前記噴霧管（１０）に柔軟な接着剤を用いて接続されているかのいずれかであることを特徴とする請求項１に記載の容器。
【請求項２４】
前記容器（１）のキャップ（７）の内側に、共鳴平面(４３)が、音発生器（５）として設けられていることを特徴とする請求項１に記載の容器。
【請求項２５】
前記容器はエーロゾル容器であって、弁（４４）、弁板（３７）、弁ハウジング（４５）及びステム（１１）を有し、しかも前記弁（４４）と前記弁板（３７）との間にはノイズダンパー（１３）として音響バリア層（４６）が設けられていることを特徴とする請求項１に記載の容器。
【請求項２６】
前記音響バリア層の一部分（４７）が、前記弁ハウジング（４５）と前記ステム（１１）との間のシールとして設けられていることを特徴とする請求項２５に記載の容器。
【請求項２７】
前記容器（１）はエーロゾル容器又は噴霧ポンプ容器であって、前記容器（１）上に載置され得るキャップ（７）のボタン（６）が、放出機構として設けられ、しかも音響シール(４９)がノイズダンパー(１３)として、前記ボタン(６)と前記キャップ（７）
との間に備えられていることを特徴とする請求項１に記載の容器。
【請求項２８】
前記シール（４９）は、２つのシーリングリップ（５０，５１）を用いて構成され得、一のシーリングリップ（５１）はキャップ（７）上に設けられ、他のシーリングリップ（５０）はボタン（６）上に設けられていることを特徴とする請求項２７に記載の容器。
【請求項２９】
前記シール（４９）は、ボタン（６）と、ボタン（６）の縁部（５３）に隣接したキャップ（７）の縁部（５４）との間の柔軟性のある接続部（５２）によって得られることを特徴とする請求項２７に記載の容器。
【請求項３０】
ステム（１１）内に差込まれた有孔ディスク（５５）が、ある周波数範囲では音発生器（５）として、また別の周波数範囲ではノイズダンパー（１３）として機能し、前記有孔ディスクは、多数の導管（５７）を有し、好ましくは、戻り止め部材（５６）によって前記ステム（１１）内に嵌め込まれることを特徴とする請求項１に記載の容器。
【請求項３１】
前記有孔ディスク（５５）は、片側のみに導管（５７）を有し、好ましくは半円形に形成されたカバー（５８）が、リバースロック（６１）を備えた前記有孔ディスク（５５）上を部分的に覆い、前記カバーは、ステム（１１）内に差込まれ、好ましくはストッパー（６０）を有しており、又前記容器の製品放出開口に接続されている管状の部材（５９）によって、有孔ディスクに関して回転可能になっていることを特徴とする請求項３０に記載の容器。
【請求項３２】
エーロゾル容器の流路（６３）に差込まれた音響唇弁（６４）が、音発生器（５）として備えられ、弁ハウジング（４５）の下部に接続されていることを特徴とする請求項１に記載の容器。
【請求項３３】
前記音響唇弁（６４）が流路（６３）の方向に一直線に配置されていることを特徴とする請求項３２に記載の容器。
【請求項３４】
２つの音響唇弁（６４）が備えられ、前記流路（６３）の方向と垂直な方向に配置され、両者の間にギャップ（６５）が形成される様に互いが関係付けられて配置されていることを特徴とする請求項３２に記載の容器。
【請求項３５】
前記音響唇弁（６４）がオーバーラップしていることを特徴とする請求項３３に記載の容器。
【請求項３６】
流通阻止部品（６９）の通路（６８）が、前記音響唇弁（６４）の上流に設けられ、前記音響唇弁（６４）の一方の縁部（７０）は、通路（６８）と共に唇状のホイッスル（７１）を形成していることを特徴とする請求項３２に記載の容器。
【請求項３７】
流れの方向に延びる数本の溝（７３）と、これに隣接する流路（６３）が、ノイズダンパー（５）及び音発生器（１３）として設けられ、その溝は、好ましくは弁（４４）の弁ハウジング（４５）の鍔部（７２）内にある凹部からなっていることを特徴とする請求項１に記載の容器。
【請求項３８】
漏斗状のスピーカ（７４）が音発生器（５）及びノイズダンパー（１３）として備えられ、そのスピーカ（７４）は、ノズル（１２）の形状に形成された容器（１）の製品放出開口（３）に接しており、しかもノズルより外方へと広がってゆくにつれて増大する直径を有していることを特徴とする請求項１に記載の容器。
【請求項３９】
音響リブ（１６）が音発生器（５）として備えられ、一方はエーロゾルの満たされた容器（１）のステム（１１）に載置されたヘッド（７５）に接続されており、他方は容器（１）のリム（８）に寄り掛かっていることを特徴とする請求項１に記載の容器。
【請求項４０】
前記容器（１）は切り取り式のリング（７７）と共に提供され、その切り取り式のリング（７７）は、リム（８）の底面とかみあわせてあり、しかも弱くした線状部（７９）を用いることによって前記音響リブ（１６）と接続されていることを特徴とする請求項３９に記載の容器。
【請求項４１】
容器（１）の弁（４４）の弁胴（８１）内に導管として形成された環状流路（８０）が、音発生器（５）として設けられていることを特徴とする請求項１に記載の容器。
【請求項４２】
前記容器（１）はエーロゾル容器であって、弁（４４）へと導かれる昇水管（６６）を有しており、前記昇水管（６６）は音発生器（５）として機能する延長部（８２）を有しており、しかも前記延長部（８２）は前記容器（１）の側壁または底壁にもたせかけてあることを特徴とする請求項１に記載の容器。
【請求項４３】
容器（１）がエーロゾル容器であって、その側壁（８４）または底壁（８３）が、音発生器（５）として厚い壁厚（８６）と薄い壁厚（８５）を交互に有していることを特徴とする請求項１に記載の容器。
【考案の詳細な説明】
【０００１】
本発明は、タンク、製品放出開口及び、タンク内に存在する製品を製品放出開口を通じて放出するための機構を備えた容器に関するものである。
【０００２】
この種の容器は十分に良く知られている。絞り出し容器、エーロゾル容器及び放出機構を有する噴霧ポンプを備えた容器等である。この放出機構は、絞り出し容器においては変形可能な容器壁を、エーロゾル容器においては弁を、および噴霧ポンプ容器においては噴霧ポンプを有している。製品は、タンクから製品放出開口へと直接伝わるか、或いは導管及びステムを通って、ノズルとして具体的に形成された製品放出開口へと伝わる。エーロゾル容器又は噴霧ポンプ容器の製品放出開口のほぼ近くにはまた、泡の形態で製品を放出するための泡発生器が備えられる。絞り出し容器においては、例えばヘアシャンプーのような製品が放出されたときには殆ど、知覚出来るようなノイズは発生しない一方、エーロゾル容器及び噴霧ポンプ容器では典型的なノイズを発する。これは、泡発生器付きのエーロゾル容器に特に顕著である。
【０００３】
公知の容器は、これらによって製品が放出されるときにノイズが生成されるという欠点を有している。これは、専ら容器に技術的に具体化されているもの、例えばその製品放出開口、その放出機構、その外寸（共鳴）、及びその材料に専ら起因するものである。このノイズは、良いもの、又はあまり良いとは言えないものとして個人的に体験される。もしもノイズがユーザーにとって心地好いもので無ければ、容器の技術的設計及びその内容物について、ユーザーは間違った、しかも否定的な結論を導き出すことであろう。
【０００４】
本発明の課題は、個々人において不快に感じられる、製品放出時における容器のノイズを防止し、抑制し又は消すことにある。
【０００５】
この課題は、請求項１の特徴部分に記載の構成によって解決される。それによれば、音発生器又はノイズダンパーが容器に設けられ、さらに音発生器又はノイズダンパーは、製品を放出する際に所望の製品放出音を発生させるために放出機構と機能的に接続されている。
【０００６】
本発明は、製品を放出している間中、ユーザーにとって魅力的な音を生じさせるという特長を有する。この音は、最初に顧客調査を通じて経験に基づいて特定され、その後技術的に実行される。容器には音発生器が備えられ、自然に放出されるノイズを特別な音で消すほか、或いはまた、例えば音発生器やノイズダンパーが無いときに生成されるノイズのような自然に放出されるノイズは全体的に又は選択的に減じられる。従ってこれらの音の強さに関係する不快な周波数成分は低減され、或いはこれらの周波数成分は除去される。
【０００７】
もし容器が、ノズルへと導かれる噴霧管が容器上に備えられているエーロゾル容器又は噴霧ポンプ容器であって、噴霧管が数学的な意味で連続した経路をその内壁に関して、特に噴霧管の屈曲したところに有していれば（請求項２）、例えば、一つも角が無い経路では、製品を取り出している最中に渦が生成される蓋然性は極めて僅かなものとなる。渦は不快なノイズを発生させるものであるため、結果としては製品放出時においてより心地好い音が得られる。
【０００８】
噴霧管内には少なくとも一つの音響リブがあり、特に、このリブは噴霧管から外方へ向かって放射状に配置されている（請求項３）が、これの有利な点は、音響リブは、その寸法に合った音を発生することが可能であると言うことである。数本の音響リブを備え、その音につき互いにヘテロダイン効果を起こさせることも又可能である。共鳴及び定常波により、特に心地好い音が、噴霧管及び音響リブを取り囲んでいるキャップ内で生成される。
【０００９】
噴霧管は吸音材料で包囲され得るようになっており、それにより、その固有の音響レベルを下げるだけでなく、一定の周波数範囲を、特に強い度合で減衰させる（請求項４）。噴霧ポンプ容器又はエーロゾル容器のステムの周辺におけるこの種の手段は極めて有用である、と言うのも、比較的多量の乱流がそこの内部で発生し、又これに応じたノイズ生成がその結果として生じるためである。
【００１０】
もし噴霧管が数層の吸音材料、特に選択的に吸音する材料で包囲されており、しかも少なくとも一層が発泡又は非発泡材料、特に熱可塑性エラストマー（ＴＰＥ）又は熱可塑性ポリウレタンであれば（請求項５）、製品放出によって生成されたノイズは、効果的に減衰され得、また選択的に減衰され得るものとなる。ＴＰＥプラスチックを、エボプレン（Ｅｖｏｐｒｅｎｅ、登録商標）、サントプレン（Ｓａｎｔｏｐｒｅｎｅ、登録商標）、ヴィラム（Ｖｙｒａｍ、登録商標）及びヒルテル（Ｈｙｒｔｅｌ、登録商標）、と共に使用することで、極めて有利な結果が得られる。これらはヘアスプレー及びヘアフォーム用に、比較的心地好い音を生成するために用いられる。ハイドロセロール（Ｈｙｄｒｏｃｅｒｏｌ、登録商標）は、ＴＰＥプラスチックの発泡剤として好適である。
【００１１】
いくつかの吸音材料からなる層があれば、別の層に内層が接触するのに適した層の組み合わせも存在する。内層は、製品を放出する導管、例えば噴霧管又は発泡管に隣接している。追加の層は、内層の外側に直接配置される。次に示す、内層／他の層、の組み合わせにより、好適な音響的結果が得られる。０．５〜１ｍｍの非発泡材料／１〜５ｍｍの発泡材料；、１ｍｍの非発泡材料／１〜３ｍｍの非発泡材料；、０．５〜５ｍｍの発泡材料／１〜３ｍｍの非発泡材料；、１ｍｍの非発泡ＰＰ（ポリプロピレン）／５ｍｍの発泡材料；、１ｍｍの非発泡ＰＰ（ポリプロピレン）／１ｍｍの非発泡材料；、又同様に類似材料の類似の組み合わせ。いくつかの周波数範囲が影響を受けたなら、対応する特性を備えたいくつかの層が互いに組み合わされる。
【００１２】
外層がフィルムにより外部との関係で密閉される場合にも、好ましい結果がまた得られる。これは即ち、閉じられた小室を有する発泡体に相当する。フィルムの機能はまた、型で作った壁上に設けられる、フィルムのような、平滑でしかも非発泡の境界層によっても発揮され得る。ＴＰＵ発泡部品では、境界層は、モールドの壁に対して、成型している間に自動的に生成され、その幅は０．２〜１．Ｏｍｍである。
【００１３】
もしもノイズダンパーが噴霧管の周りに螺旋状に配置されるものであれば（請求項６）、これは選択された心地好い変化を噴霧音にもたらしてくれる。螺旋体のために好適な材料は、比較的高い機械的固有損失係数及び比較的低い曲げ強度を有しているものであって、例えば波形の付けられた紙やティッシュペーパーである。これらの材料はまた、それほど高価ではないものである。
【００１４】
容器上に載置され得るキャップのボタンが、放出機構として備えられ、このボタンが噴霧管の壁に機械的に作用し、かつ、壁が容器のステムに機械的に作用するのであれば（請求項７）、その後、製品を放出するためにボタンが押し下げられたとき、壁及びステムも共に押下され、そうすると、ステムの真下に配置されていた容器の弁が開いて製品が流出する。弁はエーロゾル弁とされ得る。又これを噴霧ポンプの一部とすることもできるが、このとき、ボタンを押し下げると噴霧液が急に飛び出てくる。
【００１５】
もし噴霧管の材料が、音響リブの材料よりも硬質又は柔軟であれば（請求項８）、音は、専ら当該硬度の差によって変化する。
【００１６】
もし補剛リブが噴霧管に設けられれば（請求項９）、噴霧管の振動周波数は、結果として低下する。
【００１７】
より硬質で堅い噴霧管が設計されればされる程、機械的励振によって振動するに至ることが起こりにくくなる。励振がずっと続くものであるか、或いは単発のものであるかは、あまり重要なことではない。補剛は、追加のリブにより行われるが、これによりまた、より広い部品表面積が得られる。部品表面積が広ければ、振動エネルギーはこの部分全体へと分配される。全体の振動領域は補剛により減少し、また振動周波数は上昇する。従って、表面積が増加した部品の音圧レベルは、補剛リブを持たないものに比べて低下する。さらに、補剛リブはまた、振動が反射されてきたときに対する反射器の役割を果たす。
【００１８】
比較的強固な補剛リブは、およそ４〜１５ＫＨｚの周波数範囲の音を生成する。これと対比して、比較的柔軟な補剛リブは、およそ１〜４ＫＨｚの周波数範囲の音を放射する。したがって、噴霧管の硬さと比較すると異なる硬度の材料からなる音響リブは、製品が放出された際の音を変えるため、異なる周波数範囲における増幅された音を放つことになる。それ故、一般的に噴霧管に設けられた比較的柔軟な音響リブ又は補剛リブと接続された噴霧管の硬い壁は音を発生し、低音が従来の噴霧管ノイズと比較して増幅される。この種の音は”豊か”に見える。
【００１９】
音響リブが、容器上に載置可能なキャップの内表面と接続されているとき、特に、音響リブがキャップ上に射出成形されているとき（請求項１０）、音響リブが接続されていないときと比べて異なる音が生成される。噴霧管又は容器の別の部品より発せられる音波の周波数は、音響リブの共鳴振動を引き起こし、またこの接続により、音響リブはキャップとの接続位置において撓み、同様の振動の実行を引き起こす。音響リブが閉じた、曲がりくねった形状をなしており、しかもキャップのみに接続されているとき、音響リブは共鳴室として特徴付けられ、特に流路の壁の音波を吸収する。ある一定の周波数成分が、曲がりくねった音響リブの容積に合わせて減衰する。これは独特の音を生成する。
【００２０】
人間の耳にとって、４ＫＨｚ周辺の周波数は、比較的不快なものである。これらの周波数成分は、スプレー噴流内で顕著に減じられ得る。請求項１１によると、容器はエーロゾル容器又は噴霧ポンプ容器で、ノズルへと延びる噴霧管が容器上に設けられ、上記噴霧管は、その内部に延びている管の入れ子を有しているか、或いは上記噴霧管は、特に互いに平行に延びている数本の支流管からなっている。従って、放出された製品は、流路からノズルへと達するために、比較的細い導管部分又は支流管を通って流れる。結果として、流れは層流となる。製品流通ノイズは選択的に、言い換えれば４ＫＨｚ周辺が減衰する。しかしながら、改良された流路は即ち、４ＫＨｚ以上の周波数の音発生器としての機能を有している。これらの音が増幅されるため、従って高い音が生成される。
【００２１】
例えば泡発生器付きのエーロゾル容器等における、十分に低い周波数はまた、消費者に肯定的に受け容れられる。請求項１２によれば、好ましい製品放出昔が得られる。即ち、容器がエーロゾル容器又は噴霧ポンプ容器であって、ノズルへと延びる噴霧管がその容器上に備えられており、しかも噴霧管がある周波数範囲では音発生器として、またより高い周波数範囲ではノイズダンパーとして機能する噴霧管の延長部分を有していれば、好ましい製品放出音が得られる。
【００２２】
容器がエーロゾル容器又は噴霧ポンプ容器であって、ノズルへと延びる噴霧管がその容器に備えられており、しかも噴霧管が多数のハニカムを有するハニカム構造体で取り囲まれており、かつ、これらのハニカムが当該噴霧管より外方を向いており、又特にこれらのハニカムが放射状に配置されていれば（請求項１３）、選択的に改変された噴霧管音が噴霧管内において発生する。ハニカム構造は、例えば矩形、六角形、又は円形のようにすることが可能である。ハニカムは、これらの端部において開口しており、かつ互いに隣接している。噴霧管より生じる音響振動は、ハニカム内、及びハニカム仕切り壁内において互いにヘテロダイン効果を起こす。その結果、音波のエネルギー及び音量は減じられる。ハニカムは、セルロース材料より構成され得る。Ｎｏｍｅｘ（登録商標）ハニカムは、この目的には特に好適である。このように比較的剛直な材料は、噴霧管音の周波数を上昇させる。
【００２３】
サウンドチップが音発生器として設けられたとき（請求項１４）、これは製品放出時に好ましい音を発生し得る。この音はまた、技術的に誘導された放出ノイズの周波数スペクトルが加えられた際に、望んでいた音の音色が得られるような、ある周波数スペクトルとすることも可能である。
【００２４】
このサウンドチップがプログラム可能なものであれば（請求項１５）、１又はそれ以上の、プログラムされた音をサウンドチップに入力可能であって、これを音響出力に利用可能である。数個のプログラムが選択され得（請求項１６）、対応する放出機構が利用されている間、呼び出され得る。例えば、２つの異なるプログラムをスタートさせ得る２個の作動ボタンが、機構として備えられ得る。選択は機構の位置に依存しており（請求項１７）、ある位置にあれば一のプログラムが呼び出され得、また他の位置にあれば他のプログラムが呼び出され得る。ボタン又は操作ノブを動かした距離に依存して、噴霧速度の高低が得られるのであれば、それぞれの噴霧速度は、対応する心地好い、プログラムされたサウンドチップの噴霧音と連携している。上質な、又は力強い噴霧を得るために容器上に２個の別々のボタン又は作動ノブがある場合であっても同様である。サウンドチップはまた、容器に固有の心地好い音を増幅するためにも使用され得、この音は、同一の周波数スペクトルとヘテロダイン効果を引き起こすことによって得られる。
【００２５】
サウンドチップに少なくとも１つのスピーチプログラム、特にアドバイスのプログラムが含まれていた場合（請求項１８）、製品が放出された際には、消費者に製品の使用に関するアドバイスが提供される。この種のアドバイスは、特に使用する製品が複雑なものであるときは適切なものである。これに関して、放出機構が作動した際にはいつでも、１つの助言的な情報が出力され、従って製品の使用は、数個の、独立した個々の情報によってサポートされる。
【００２６】
容器がエーロゾル容器又は噴霧ポンプ容器であって、ノズルへと延びる噴霧管がその容器に備えられており、しかも噴霧管が、ある周波数範囲では音発生器として機能し、又別の周波数範囲ではノイズダンパーとして機能する多数の独立した単一導管を有していれば（請求項１９）、この多数の導管は比較的心地好い音を製品放出時に発生させる。単一の噴霧管内で発生するある一定の乱流及びそれに相応した周波数は減衰し、この周波数範囲における選択的なノイズ減衰が達成される。多数の比較的細い単一導管にとって典型的な音は増幅される。結果として、これは改められた、比較的心地好い音を、容器内にある製品が放出される際に発生させる。
【００２７】
容器がエーロゾル容器又は噴霧ポンプ容器であって、ノズルへと延びる噴霧管がその容器に備えられており、しかも噴霧管が、ある周波数範囲では音発生器として機能し、又別の周波数範囲ではノイズダンパーとして機能する唇状部を有していれば（請求項２０）、改められた、比較的心地好い音を、容器内から取り出された製品が放出される際に得ることができる。
【００２８】
選択的なノイズ減衰又は選択的な噴霧ノイズの改変は、ヘテロダイン周波数の応用を通じて達成され得る。周波数スペクトルの個々の領域は、選び出され、また消去され、或いは一又はそれ以上の音源により影響を受ける。
【００２９】
これは、噴霧管内に直接ある、振動する内壁（唇状部）の手段により達成される。噴霧ノイズは振動する壁の材質及びサイズにより影響され得る。機械的な推進力は、”唇状部”　（技術用語一吹奏楽器のための振動励振器）を用いることで発生し、エーロゾルの流れがこれを通過することによって振動状態に至るほか、或いはその端部に分割された縁部を有している、”高音を奏する導管”を用いることによっても同様に発生し、エーロゾルの流れがこれを通過することによって振動状態に至る。唇状部の剛性は内壁自身から得られるものである。また、細い導管によっても、周波数の上昇は達成し得る。
【００３０】
オルガンパイプ又はレコーダの内部の様に、エーロゾルの流れは極めて鋭い唇状部の縁部に衝突する。激しい渦が生成され、唇状部を励振して振動させる。その結果、ある一定の音調が作り出される。この音調は、唇状部を包囲している二重管の長さにより変更され得る（短い＝高音、長い＝低音）。
【００３１】
また二重管につき、振動発生時におけるその吸収がより良ければ、次のような事象が発生する。即ち、更なるノイズ低減に寄与し得るような、ノイズ低減、周波数変更、並びに流通抵抗及びその結果発生する乱流の低減である。
【００３２】
容器がエーロゾル容器であって、エーロゾル容器の弁板にノイズダンパーとしての弁板における吸収体が備えられていれば（請求項２２）、エーロゾル容器において心地好い放出音が得られる。
【００３３】
弁板は主としてアルミニウムから成っている。吸音材料の層は、特に弁板に適用されたポリウレタンラッカー又はポリウレタン発泡体であって（請求項２３）、弁板を防音するために好適なようになっている。
【００３４】
次の発泡ＴＰＥプラスチックは、特に弁板を防音するのに適している。即ち、Ｅｖｏｐｒｅｎｅ（登録商標）、Ｓａｎｔｏｐｒｅｎｅ（登録商標）、Ｖｙｒａｍ（登録商標）及びＨｙｔｅｌ（登録商標）である。発泡剤Ｈｙｄｒｏｃｅｒｏｌ（登録商標）が、そのようなプラスチックには適している。
【００３５】
好適な複合材及び複合材材料は、個々の構成要素の特性が場合によっては相反するものが、また場合によっては使用意図が極端に相反するものですら、適当に組み合わされるように特徴付けられている。振動の伝搬を最小にするために追加される複合材はまた、幅広い周波数範囲にわたって高い振動吸収特性を有しており、振動の放射を極端に変化させる。この広大な表面積の複合材は、音響的効果が高く、一般的な材料よりも小さい質量を有するものであって、同時に良好な機械的特性を有すべきものである。これらの特性の間で主となるものは最大の減衰可能性と、エーロゾル噴霧システムの機械的振動の隔離である。物理的に異なる方向に振る舞う２つの層が１つの複合材に組み込まれる。
【００３６】
大きな度合の振動減衰（高い振動吸収）が、多孔体、例えば特別な発泡体及び／又はエラストマー材料により達成され、この材料は振動源に対して向けられた、開口多孔体である必要がある（孔のサイズはおよそ０．２ｍｍ）。この機能は、例えば、上述の材料を射出成形すると同時に、これを発泡させることを通じて製造される熱可塑性発泡材により発揮される。この材料は高い多孔度を有している（９５％以上）。
【００３７】
バリエーションとして、外層の外側を、フィルムにより更に追加的にシールすると言うことも考えられる。これは即ち、閉じられた小室を有する発泡体に相当する。
【００３８】
吸収体が多量の振動エネルギーを消費することができるようにするため、振動が、反射の無い状態で吸収体内にまず最初に入り込むようにしなければならない。これは、開口した多孔を有する熱可塑性エラストマー発泡体又は容易に励振可能な材料により実現される。振動は吸収体内へと伝達されるが、振動の反射を最小なものとするため、境界の表面において振動抵抗は大幅に変化しない。その多数の細い導管のため、吸収体の内部摩擦抵抗が徐々に増大するという手段を用いて、エネルギーは、行ったり来たりしている空気の流れより、熱のかたちで回収され、そしてこれは吸収体の骨格材料へと伝達される。結果として、振動圧力の振幅は減少する。吸収体により弱められた振動は、防音層に衝突し、一方では吸収体内に反射され、他方、これは構造体で伝達された振動へと変換される。抑制されるべき振動の空間内への放出を最小にするために、防音材料内におけるたわみ波は、可能な限り最大限度弱められる。高い機械的固有損失係数と低い曲げ強度は、たわみ波が減衰するのを促進する。このような機械的特性は熱可塑性エラストマーにより実現され得る。入射振動及び反射振動の振動吸収をより完全に行えば行う程、防音層内へと伝わる振動エネルギーはより少なくなる。エラストマー防音層の減衰特性は、抑制されるべき振動の空間内への放出を更に最小なものとする。減衰材料（発泡材又はラッカー）の密度が低ければ低い程、より高い周波数が影響を受けることとなる。
【００３９】
噴霧管（１０）の出口に差込口が付いた容器がエーロゾル容器であって、その差込口が、ノズルを含み、しかもノイズダンパーとして機能するものであって、差込口が柔軟性のあるプラスチックからなっているか、或いは差込口が柔軟性のある接着剤で噴霧管に接続されていれば（請求項２３）、噴霧工程中に心地好い音が生成される。ノズル周辺の柔軟な材料は不快な周波数成分を吸収する。
【００４０】
この差込口に振動が入ってくる前に生じるエーロゾルの膨張は、振動を引き起こす。柔軟性のある差込口は、この振動のいずれをも、噴霧管へほとんど伝達しない。
【００４１】
この差込口が柔軟性のある接着剤を用いて流路内に貼付けられる場合には、この機能はまた、市中で入手可能な差込口によっても発揮され得る。しかしながら、接着剤材料の層の厚さは十分に厚いものである必要があって、そうすれば、どの振動も殆ど伝達されない。一般的に、接着剤におよそ４ｍｍの壁厚があれば、これを起点に効果を発揮し得る。
【００４２】
流路内におけるエーロゾルの部分的な膨張のため、脈動する圧力変動が流路内で発生する。柔軟性のある差込口又は柔軟性のある接着剤は、この圧力変動を伝達しない。
【００４３】
容器のキャップ内に共鳴平面の形で音発生器が与えられた場合（請求項２４）、励振された場合に、共鳴平面はその寸法に対応した音を発生させる。共鳴平面は、キャップを２つの空間に分割する音発生板となり得るものである。共鳴平面は一又はそれ以上の開口部を有している。その位置、及び材料の選択の双方は、音に影響を与える。二以上の空間を得ること、空間領域を分けるために分割壁のみを得ることも又可能である。一の共鳴平面とキャップの内壁との間に、キャップへと伝達されるであろう共鳴ノイズを防止するためにシリコン製シールを提供することも可能である。一方、望みの音を得るためにキャップの共鳴が求められている場合には、シリコン製シールの代わりに、例えばプラスチック溶接等の手段によって、可能な限り最良の剛直な接合を、共鳴平面とキャップ内壁との間に提供する必要がある。
【００４４】
容器が、弁、弁板、弁ハウジング及びステムを有するエーロゾル容器であって、しかも音響バリア層がノイズダンパーとして、弁と弁板との間に設けられていれば（請求項２５）、ノイズ源としての弁を、共鳴体としての弁板より音響的に分離することを実現出来る。この分離は、弁板および、例えば容器のケーシング等の弁板に接続されている部品とが、弁と共に共鳴するのを防止する。このような手段は極めて効果的である、と言うのもこれは弁のノイズ源に直接的に作用するからである。又弁自体は不変のままとし得る。バリア層は、Ｅｖｏｐｒａｎｅ（登録商標）の様な柔軟性の高いプラスチックからなっていることが好ましく、又その厚さは０．５〜８ｍｍの間であることが好ましい。
【００４５】
バリア層の一部が弁ハウジングとステムとの間のシールとして提供された場合（請求項２６）、この部分は、分割シールによっても発揮されるが、弁ハウジングとステムとの間にシールを生成するという機能を満足する。この部分を使用することは、分割シールを使用することよりも安価であって、しかも音響的に弁ハウジングを弁の実質部分より分離することになる。
【００４６】
容器がエーロゾル容器又は噴霧ポンプ容器であって、容器上に載置され得るキャップ上のボタンが放出機構として設けられており、しかも音響シールがボタンとキャップとの間に設けられているとき（請求項２７）、キャップの音響シーリングによるノイズの減衰が得られる。シールは２つのシーリングリップによりもたらされ、一のシーリングリップはキャップ上に設けられ、他のシーリングリップはボタン上に設けられ（請求項２８）、またシールは、ボタンと、ボタンの縁部と隣接しているキャップの縁部との間の柔軟性のある接続部によって得られる（請求項２９）。
【００４７】
従来技術によれば、キャップ内においては、製品を放出するためのボタンにより弁のステムを作動させるというのが通例であった。しかしながら、良く知られたボタンは、これらを包囲するキャップとの関係で多少大きな隙間を有していた。この隙間が閉じられれば、キャップ内に振動している空気が集まり、キャップ内の振動の変化を引き起こす。これは改められた噴霧ノイズを提供する。しかしながら、キャップには可動性を残しておかなければならない。これを実現するにはいくつかの可能性がある。例えば、以下のものが挙げられる。
【００４８】
［可能性１］
２っの部品を射出成形する方法を用いることにより、作動ボタンを、極めて柔軟なプラスチック手段によって噴霧キャップに接続する。従って噴霧キャップは１つの成形物からなり、ボタンと噴霧キャップとの間に隙間は無くなる。極めてしなやかなプラスチックが、この隙間に取って代わることになる。
【００４９】
［可能性２］
下方へ湾曲し、先細りになったシーリングリップをキャップとボタンの間の表面の変わり目に、例えば２つの部品を射出成形する方法を使用することによって付加する。これらが動かないときは、２つのシーリングリップは互いに隣り合った状態にあり、かつシールも完全に行われる。ボタンが押下されたとき、ボタンのシーリングリップが下方ヘスライドして、弁は開く。同時に、下方へ移動している間、外方へ移動しようとするボタンのシーリングリップの先端部のためにより多くの空間が生み出される。結果として、キャップとボタンとの間の隙間は常に閉鎖され、かつ、キャップの内部空間は音響的に密閉される。
【００５０】
ステム内に挿入される有孔ディスクが、ある周波数範囲に対する音発生器として、また別の周波数範囲に対するノイズダンパーとして備えられ、この有孔ディスクが多数の導管を有しており、しかもこの有孔ディスクが好ましくはステム（１１）内に、戻り止め部材によりスナップ嵌合されるものであれば（請求項３０）、一方では、これは流れを一定に保ち、他方では、部分的に層流を発生させることになる。これらのいずれも、ある特定の周波数範囲は増幅され、その他の周波数範囲は減衰すると言う事実に帰着するものである。全体的に見て音響的な変化が起き、これは心地好く感じられるものとなる。
【００５１】
有孔ディスクが、片側のみに導管を有し、好ましくは半円形に形成されたカバーが、リバースロックを備えた有孔ディスク上を部分的に覆い、上記カバーが、ステム内に差込まれ、好ましくはストッパーを有しており、又容器の製品放出開口に接続されている管状の部材によって、有孔ディスクに関して回転可能になっていれば（請求項３１）、製品放出開口を含む部分を回転させることによって、使用者自身が製品放出動作、および一定の回転状況と共に得られる付随の音を決定することが出来る。従って使用者は、例えば導管を使用するのか、或いは有孔ディスクの別の半面に包含されている開口を使用するのかを選択することができる。ストッパーは、有孔ディスクに関した、カバーのある特定の回転位置の位置
決め機構として機能する。
【００５２】
エーロゾル容器の流路に差込まれた音響唇弁が音発生器として設けられ、しかもこれが弁ハウジングの下部に接続されたとき（請求項３２）、製品を放出することにより特有の音が生成され得る。この音響唇弁は、製品が外方へ流出することによって振動状態に至る。音響唇弁は、弁ハウジングと接続されており、そのため、弁ハウジングと容易に一体成形することができる。弁ハウジングの下側部分に音響唇弁を配置することとすれば、製品が流動体であるので音響唇弁が張り付いたり、また音響唇弁の機能制限がそこで発生する可能性はない。弁を開くために押下されるエーロゾル容器のスプレーヘッドは、放出機構として動作する。製品は音響唇弁の周りを流れ、弁を通過し、製品が放出されている間中、音響唇弁にぶつかって心地好い音を生成する。
【００５３】
音響唇弁は、流路の方向に一直線に配置される（請求項３３）。これにより、製品放出用に比較的大きな流通断面が得られるため、放出に際して殆ど影響を及ぼさない。それに比べて、流路の方向とは垂直な方向に配置され、互いの間に隙間が形成されるように関係付けられて配置された２つの音響唇弁が設けられた場合（請求項３４）、強い音が生成され得る。これに関連して、音響唇弁をオーバーラップさせることも又可能であって（請求項３５）、このときには更に大きな音が生成され得る。
【００５４】
噴霧ポンプ容器又はエーロゾル容器より製品を放出する際、極めて特有の、口笛を吹くような音が生成され得る。請求項３６と同様、流通阻止部品の通路が音響唇弁の上流部に設けられ、音響唇弁の一方の縁部は、通路と共に唇状のホイッスルを形成している。生成された音の周波数は、通路のギャップ幅又は通路と縁部との間の距離を変えることにより変更され得る。調整された音は、製品放出時に使用者を心地好くするものである。
【００５５】
流れの方向に延びる数本の溝、およびこれに隣接した流路が、ノイズダンパーとして、および音発生器として設けられ、その溝が好ましくは弁の弁ハウジングの鍔部内における凹部から成っていれば（請求項３７）、流路のこの部分における乱流が低減され得る。このような乱流を取り除くことは、製品が放出される際の乱流によって生成される周波数成分を減衰させることになる。同時に、溝はまた別の音を発生させる。この周波数の変化は比較的心地好いものとなる。対応する音は、溝の本数と同様、溝の長さ、幅及び深さにより影響を受ける。
【００５６】
漏斗状のスピーカが、音発生器として、及びノイズダンパーとして設けられ、そのスピーカが、容器の製品放出開口に隣接してノズルを形成しており、ノズルより外方へと広がってゆくにつれて増大する直径を有しているとき（請求項３８）、メガホン内部と同じ要領で、製品放出中の音は改められると同時に増幅される。ノズルから放たれる噴霧円錐体は、十分に自由な空間を漏斗状体内に有している。
【００５７】
一方がエーロゾルで満たされた容器のステム上に載置されるヘッドに接続され、他方が容器のリムに寄り掛かっている音響リブが、音発生器として備えられるとき（請求項３９）、生成され得る音は音響リブの幅及び長さに依存することになる。ヘッドの振動は音響リブの端部の方向へと伝達され、この振動は縁部へと伝達される。得られるノイズは不快なものである。ここで容器が、リムの底面とかみあわせてあり、しかも弱くした線状部を用いることによって音響リブと接続されている切り取り式のリングと共に提供されていればまた（請求項４０）、ヘッドは容器へ、まず何よりも、極めてしっかりと取り付けられ得る。音響リブを解放するため、切り取り式のリングは使用される前に分離される。
【００５８】
容器の弁の弁胴内に導管として形成された環状流路が、音発生器として設けられたとき（請求項４１）、弁の内部において直接、追加の音が生成される。弁が、特にエーロゾル容器にとっては最も大音量のノイズ発生器の一つであることから、この音は比較的強いものである。比較的少量の製品が、この導管を流通して放出される。
【００５９】
容器が、エーロゾル容器であって、弁へと導かれる昇水管を有しており、この昇水管は音発生器として機能する延長部を有しており、しかもこの延長部が容器の側壁または底壁と隣接していれば（請求項４２）、一方で、昇水管内におけるエーロゾルの流通音は、延長部の中で増幅される。他方、この増幅された音は容器壁に伝達されるので、容器壁は共鳴器として機能する。生成された音は、結果として壁の寸法に依存しており、製品が放出されている間中、特に、アルミニウム製の容器の内部で比較的心地好い音を奏でる。
【００６０】
容器がエーロゾル容器であって、その側壁または底壁が、音発生器として、厚い壁厚（８６）と薄い壁厚（８５）を交互に有していれば（請求項４３）、製品が放出されている間中、この壁は異なる音響パターンを生み出す。心地好いものが得られるように探し求めていたエーロゾルの放出音は、強度差、及び厚い方の壁厚の大きさ次第で実現され得る。
【００６１】
本発明は、以下に述べる典型的な一実施例を表した図面を用いることによって、より詳細に説明される。
【００６２】
【実施例】
容器１は、タンク２、製品放出開口３及び、タンク２内に存在する製品を製品放出開口３を通じて外方へ放出するための放出機構４を備えたものであって、上記容器１には音発生器５又はノイズダンパー１３が設けられている（図１、図２）。音発生器５及び／又はノイズダンパー１３は、製品が放出される間中、所望の製品放出音を発生させるために、放出機構４と機能的に接続されている。
【００６３】
容器１のキャップ７内にあるボタン６は、放出機構４として機能する。キャップ７は容器１のリム８に装着される。噴霧管１０の下端部にある凹部９は、容器１のステム１１を受容する。容器１はエーロゾル容器である。キャップ７内には、ノズル１２へと延びる噴霧管１０が設けられている。ノイズダンパー１３として、或いはよりはつきり言えば、過度のノイズ生成を防止する手法として、噴霧管１０、特に噴霧管１０の屈曲部分１４は、数学的な意味で連続した経路をその内壁１５に有している。
【００６４】
噴霧管１０には、４本の音響リブが設けられており、それらは噴霧管１０より外方へ向け放射状に整列配置されている。音響リブはそれぞれ、互いが９０度の角度をなして形成される。ボタン６を押すと、ステム１１を伴う噴霧管１０は下方へ押圧されて、容器１内の弁（図示せず）が作動する。ステム１１によって引き出されたエーロゾルは、噴霧管１０を流通し、ノズル１２より外方へ噴射される。ノイズダンパー１３及び音発生器５の働きを通じて、放出機構４が作動した際比較的静かで、しかもキャップ７内における共鳴のためとても心地好く感じられる音が生成される。
【００６５】
図３及び図４に示す実施例ではエーロゾルを収容する容器に装着するためのキャップ７が備えられている。キャップ７は噴霧管１０を有しており、噴霧管１０は容器のステムを受容するための凹部９を備えている。噴霧管１０は、発泡材料１７によって包囲されており、これにより選択的な遮音がされる。発泡材料１７は、ポリプロピレンをベースにした熱可塑性エラストマーからなっている。噴霧管１０は、ボタン６によって下方へと旋回され得るものであり、これをステム上に与えれば容器の弁は開き、ノズル１２から製品が放出される。
【００６６】
図５に示す実施例では、ノズル１２が設けられている噴霧管１０は、選択的に音を吸収する材料からなる３つの層に包囲されている。内側から、噴霧管１０を境界付けている層１９は、非発泡材料１８からなっている。その表面には、発泡材料１７が接している。最後は、非発泡材料１８であるフィルム１９によって外面が覆われる。全ての材料１７、１８はプラスチックからなっている。選択的な吸音は、層の遷移を用いることにより改良される。特に、１キロヘルツおよび５キロヘルツの辺りにある不快な周波数成分はこの手法により減衰する。材料１７及び１８はポリプロピレンである。
【００６７】
図６及び図７に示す実施例では、放出機構４として、容器１上に載置可能なキャップ７のボタン６が設けられている。ボタン６は、噴霧管１０の壁１５に機械的に影響を及ぼしている。壁１５はまた、容器１のステム１１に機械的に影響を及ぼしている。ボタン６を押下すれば、スデム１１の直下にある弁（図示せず）が開かれ、製品が噴霧管１０及びノズル１２を通って外方へ噴射される。ノイズダンパーとして、噴霧管の周りに配置される螺旋体２０が設けられる。螺旋体２０は段ボール紙からなる。螺旋体２０は、比較的心地好い感じを与えるよう、選択的に噴霧ノイズを減衰させる。
【００６８】
図８及び図９に示す実施例では、噴霧管１０はエーロゾル容器から製品を放出するために用いられる。噴霧手順は、容器のボタン６を手で押すことで開始される。製品放出開口３としてノズル１２が設けられる。噴霧管１０には、音発生器５としての４本のリブが設けられており、これらは補剛リブ２１であると同時に音響リブとしての機能を果たしている。噴霧管１０の壁１５はこのようにして補強される。壁１５は比較的硬い非発泡材料１８からなっており、その一方、リブは比較的柔軟な発泡材料１７からなっている。この材料はポリプロピレンである。リブは、比較的心地好く感じられる製品放出音の低音を増幅する。
【００６９】
図８及び図９に示す実施例では、噴霧管１０はエーロゾル容器から製品を放出するために用いられる。噴霧手順は、容器１の操作用キャップ７を手で押すことで開始される。製品放出開口３としてノズル１２が設けられる。噴霧管１０には、音発生器５、また選択的なノイズダンパー１８として、曲がりくねった形をしたリブが設けられ、音響リブ及び共鳴器としての役割を果たす。噴霧管１０の壁１５は比較的硬い非発泡材料１８からなっており、その一方、リブは比較的柔軟な発泡材料１７からなっている。この材料はポリプロピレンである。その寸法に合わせて、リブは製品放出音のある音程を増幅するため、製品放出音は比較的心地好く感じられる。接続部２２は、キャップ７へと伝達されるであろう音響リブ１６の音響振動を引き起こすため、容器１のキャップ７はまた、音響パターンに寄与する。音は、隣接する２つの接続部の間に配置された音響リブ１６の一部２３の半分の長さによって決定される。
【００７０】
図１２及び図１３に示す実施例では、噴霧管内に延びている管の入れ子２４を備えた噴霧管１０が設けられる。放出機構４としてのボタン６が押下されると、凹部９内における噴霧管１０の壁１５は、その壁１５がステム１１の上を押すようになっている。タンク２を出た製品は、管の入れ子２４を通過して、製品放出開口３へと達する。管の入れ子２４は流路１０を細くするため、流れには層流が発生し、周波数の上昇が製品放出ノイズの音響パターンに生じる。４キロヘルツ辺りの周波数においては、管の入れ子２４は、ノイズダンパー１３として機能し、一方、これより高い周波数においては音発生器５として機能する。図１４に示す実施例の場合も同様である。ここで噴霧管１０は、互いに並行に延びるように形成された２本の支流管２５からなっている。支流管２５の２つの比較的細めの断面は、４キロヘルツ辺りの周波数を放射する乱流を低減する。
【００７１】
図１５に示す実施例では、放出機構４として、容器１上に載置可能なキャップ７のボタン６が設けられている。ボタン６は、噴霧管１０の壁１５に機械的に影響を及ぼしている。壁１５はまた、容器１のステム１１に機械的に影響を及ぼしている。ボタン６を押下すれば、ステム１１の直下にある弁（図示せず）が開かれ、製品が噴霧管１０及びノズル１２を通って外方へ噴射される。噴霧管１０の延長部分２６は、高い周波数に対するノイズダンパーとして、および低い周波数に対する音発生器として機能する。噴霧管１０の壁１５は、延長部分２６を備えた比較的長いものであり、そのため相応する長い波長を伴う低い周波数が選択される。延長部分無しの、通常の長さの噴霧管１０を付けた場合と比べると、周波数シフトが起こっていることになる。同様の手法で、より高い周波数への周波数シフトは、噴霧管１０の長さを詰めることにより達成され得る。
【００７２】
図１６及び図１７に示す実施例では、噴霧管１０は、噴霧管１０より外方へ向くように方向付けられた多数のハニカム２７を有するハニカム構造体２９によって包囲されており、上記ハニカム２７は、噴霧管１０に対して放射状に配置されている。ハニカム構造体は矩形である。ハニカム２７は開口しており、ハニカム仕切壁２８の比較的高い剛性により、噴霧管ノイズの周波数は上昇する。従ってハニカム構造体２９は、高い周波数に対しては音発生器として、また低い周波数に対してはノイズダンパーとして機能する。
【００７３】
図１８に示す実施例では、容器用のキャップ７内のボタン６が放出機構４として設けられている。キャップ７は、容器１の上側のリムに装着され得る。噴霧管１０の下端部にある凹部９は、容器１のステムを受容する。容器１は、エーロゾル容器である。キャップ７内には、ノズルへと延びる噴霧管１０が設けられている。噴霧管１０には、２個の切り替え部品３１、３２が取り付けられている。図１８に示すボタン６の初期位置では、ボタン６の湾曲させた部品３４の上には切り替え部品３１がある。ボタン６が下方へ僅かに押されると、切り替え部品３１のみが作動し、結果として特定のプログラムされた音が、サウンドチップ３０により生成される。サウンドチップ３０には電池３３からの電流が供給される。ボタン６がさらに押下されれば、湾曲させた部品３４は切り替え部品３１より離れて、第２の切り替え部品３２の上へ到達し、ここで第１の音がスイッチオフされて第２の音がスイッチオンされる。第２の音に代えて、第１の音がスイッチオフされた後、ある何かの製品情報を再生し始めることも可能である。
【００７４】
容器１は、タンク２、製品放出開口３及び、タンク２内に存在する製品を製品放出開口３の外側へ放出するための放出機構４を備えたものであって、上記容器１には音発生器５又はノイズダンパー１３が設けられている（図１９、図２０）。音発生器５及び／又はノイズダンパー１３は、製品が放出される間中、所望の製品放出音を発生させるために、放出機構４と機能的に接続されている。
【００７５】
容器１のキャップ７内にあるボタン６は、放出機構４として機能する。キャップ７は容器１のリム８に装着され得る。噴霧管１０の下端部にある凹部９は、容器１のステム１１を受容する。容器１はエーロゾル容器である。キャップ７内には、ノズル１２へと延びる噴霧管１０が設けられている。ノイズダンパー１３および音発生器５として、多数の単一導管３５が設けられている。
【００７６】
単一の噴霧導管内で発生する一定の乱流及びこれに対応する周波数成分が減ることにより、結果としてこの周波数範囲に対する選択的なノイズ減衰が実現される。従って、単一導管３５はノイズダンパー１３として機能する。一方、比較的近接した多数の単一導管にとって典型的な音は増幅される。このとき、単一導管３５は音発生器５として機能する。したがって、容器１内の製品が放出される際、改められた、比較的心地好い音が生成される。
【００７７】
公知の噴霧管は、長さが２０ｍｍで、２ｍｍの直径を有しており、その断面積は３．１４１平方ミリメートルである。いま、６本の単一導管３５が束になって組み合わされていると仮定すれば（図２０）、それぞれの単一導管は０．８ｍｍの直径を有しており、これらを合計すれば３．１４１平方ミリメートルの流通断面が得られる。管の束は、振動が起こるのをより抑えることができるため、次の効果が得られる。即ち、ノイズ低減、周波数変換、流通抵抗の低減とともに、さらなるノイズ低減を招来する渦の発生の低減が得られる。
【００７８】
更なる実施例では（図２１、２２及び２３）、タンク２、製品放出開口３及び、タンク２内に存在する製品を製品放出開口３を通じて外方へ放出するための放出機構４を備えた容器１であって、上記容器１に音発生器５又はノイズダンパー１３が設けられたものが示されている。音発生器５及び／又はノイズダンパー１３は、製品が放出される間中、所望の製品放出音を発生させるために、放出機構４と機能的に接続されている。
【００７９】
容器１のキャップ７内にあるボタン６は、放出機構４として機能する。キャップ７は容器１のリム８に装着され得る。噴霧管１０の下端部にある凹部９は、容器１のステム１１を受容する。容器１はエーロゾル容器である。キャップ７内には、ノズル１２へと延びる噴霧管１０が設けられている。ノイズダンパー１３および音発生器５として、噴霧管１０内における唇状部３６が設けられている。唇状部３６は音発生器５であって、容器１よりエーロゾルが流れて来てそこを通過する際に、縦方向に配置された、オルガンパイプに幾分似た噴霧管１０の一部分と共同して機能する。唇状部は同時にノイズダンパー１３としても機能し、その存在その他によって発生する更なる別の周波数は抑制され、また阻止される。
【００８０】
図２４及び２５に示す実施例では、弁板における吸収体３８が、ノイズダンパー１３としてエーロゾル容器の弁板３７に設けられている。弁板における吸収体３８は、弁板３７に適用された、吸音材料からなる層である。この材料は、一つはポリウレタンラッカー３９であって（図２４）、もう一つはポリウレタン発泡体４０である（図２５）。
【００８１】
弁板３７は、エーロゾル容器の上側のリムに関して、環状シール４１によりシールされる。例えばスプレーヘッドの手動操作により、エーロゾル容器から製品が放出されるとき、弁板３７より放射される周波数成分は弁板における吸収体３８によって減衰する。このようにして、例えば比較的心地好い噴霧音が得られる。泡を放出する音もまた、同様な方法で改められ得る。このとき、エーロゾル容器はその製品放出開口に泡発生器を有している。
【００８２】
容器のキャップ７には、製品放出開口３及び製品放出開口３より製品を放出するための機構４が設けられている（図２６）。ノイズダンパー１３は、製品が放出される間中、所望の製品放出音を発生させるために、放出機構４と機能的に接続されている。
【００８３】
容器１のキャップ７内にあるボタン６は、放出機構４として機能する。キャップ７は容器のリムに装着され得る。噴霧管１０の下端部にある凹部９は、容器１のステム１１を受容する。容器はエーロゾル容器である。キャップ７内には、ノズル１２へと延びる噴霧管１０が設けられている。ノイズダンパー１３として、或いはよりはつきり言えば、過度のノイズ生成を防止する手法として、噴霧管１０の放出端に、柔軟なプラスチックからなりノイズダンパー１３として機能するノズル１２を収容する差込口４２が設けられている。
【００８４】
引き出されたエーロゾルは、噴霧管１０を流通し、ノズル１２から外方ヘスプレーされる。ノイズダンパー１３の働きにより、プラスチック内における選択的な減衰のため比較的静かで、またとても心地好く感じられる音が、機構４が動作する際に発生する。
【００８５】
図２７に示す実施例では、タンク２、製品放出開口３、およびタンク２内に存在する製品を製品放出開口３を通じて外方へ放出するための放出機構４を備えた容器１には、音発生器５が設けられている。音発生器５は、製品が放出される間中、所望の製品放出音を発生させるために、放出機構４と機能的に接続されている。
【００８６】
容器１のキャップ７内にあるボタン６は、放出機構４として機能する。キャップ７は容器１のリム８に装着され得る。噴霧管１０の下端部にある凹部９は、容器１のステム１１を受容する。容器１はエーロゾル容器である。キャップ７内には、ノズル１２へと延びる噴霧管１０が設けられている。
【００８７】
噴霧管１０には、噴霧管１０から外方へ放射状に広がる、水平になった円盤状の共鳴平面４３が、音発生器５として備えられている。ボタン６が押されると、ステム１１と共に噴霧管１０が押下され、容器１内にある弁（図示せず）が作動する。ステム１１により引き出されたエーロゾルは噴霧管１０を流通して、ノズル１２から外方ヘスプレーされる。機構４が作動した際の音発生器５の働きにより、共鳴平面４３の共鳴によって前もって決定された非常に心地好く感じられる音が生じる。共鳴平面４３は、キャップ７の内壁へ動かないように接続されている。共鳴平面４３はプラスチックからなるディスクである。
【００８８】
整列配置された図２８及び図２９に示された実施例と同様に、図３０及び図３１に示された実施例は、図２７に示された実施例に相当する技術であって、音の変化を起こすために使用される。キャップ７内の配置にもよるが、材料、表面積、或いは好ましくはキャップ７への係合の様子から選択した数種の共鳴平面４３によれば、製品放出時に適切な音が得られる。
【００８９】
図３２に示す実施例では、容器（図示せず）はエーロゾル容器であって、弁４４、弁板３７、弁ハウジング４５及びステム１１を備えている。ノイズダンパー１３として、音響バリア層４６が、弁４４と弁板３７との間に設けられている。バリア層４６の一部４７は、弁ハウジング４５とステム１１との間のシールとして設けられている。この点、弁板３７と弁ハウジング４５が、弁４４より音響的に分離されていれば、弁４４から弁板３７へ、またそれ故容器その他へと伝達されていた振動の減衰が得られる。製品の放出はより静かになり、又より心地好い音を発するようになる。
【００９０】
図３３に示す実施例も同様であるが、図３２の対象と比較すると、ステム１１と弁ハウジング４５との間に、最良のシールをこの部分で得るために、分離型のシール４８が設けられている。
【００９１】
図３４、３５、及び３６に示す実施例では、タンク２、製品放出開口３、およびタンク２内に存在する製品を製品放出開口３を通じて外方へ放出するための放出機構４を備えた容器１には、ノイズダンパー１３が設けられている。ノイズダンパー１３は、製品が放出される間中、所望の製品放出音を発生させるために、放出機構４と機能的に接続されている。
【００９２】
容器１のキャップ７内にあるボタン６は、放出機構４として機能する。キャップ７は容器１のリム８に装着され得る。噴霧管１０の下端部にある凹部９は、容器のステム１１を受容する。容器１はエーロゾル容器である。容器のキャップ７内には、ノズル１２へと延びる噴霧管１０が設けられている。ボタン６とキャップ７との間の音響シール４９は、ノイズダンパー１３として機能する。２つのシーリングリップ５０、５１はシール４９を構ｉ成する。一のシーリングリップ５１はキャップ７上に設けられ、他のシーリングリップ５０はボタン６上に設けられる（図３４及び３５）。ボタン６が押下されたときであっても（図３６）、シーリングリップは互いに接触し続け、従ってキャップ７の内部は、外部との関係で密閉されている。
【００９３】
図３７、３８、及び３９に示す実施例では、シール４９は、ボタン６と、ボタン６の縁部５３に接続している蓋７の境界領域５４との間にある、柔軟性のある接続部５２によって形成されている。ボタン６を押下した後であっても、柔軟性のある接続部５２が伸びるせいで、依然として密閉は維持される（図３９）。ボタン６が押下されると、ステム（図示せず）と共に噴霧管が押し下げられ、容器内の弁（図示せず）が作動する。ステムを通じて引き出されたエーロゾルは噴霧管内を流通し、ノズルより外方ヘスプレーされる。ノイズダンパー１３の効果により、蓋７内における共鳴によって比較的静かで、また非常に心地好く感じられる音が、機構４が作動する際に得られる。
【００９４】
図４０に示す実施例では、ある周波数範囲に対する音発生器として、また別の周波数範囲に対するノイズダンパーとして有孔ディスク５５が設けられ、ステム１１内に差込まれている。有孔ディスク５５には、多数の導管５７が設けられており、好ましくは戻り止め部材５６によってステム内にぱちんと嵌め込まれている。エーロゾルが放出されたとき、エーロゾルは導管５７内を流通する。層流が導管５７内において発生しており、有孔ディスク５５の下流側においてもまだそれは一部見られる。このように乱流が減少した結果、ある特定の周波数に関する音の強さは弱められ、またその他の周波数に関しては増幅される。これらの結果、周波数が変化して、新たな音が得られる。この音は、導管５７の長さと数に依存し、このルールに従えば心地好い音が感じられる。
【００９５】
図４１〜４３に示す実施例には、ディスクの片側半面にのみ導管５７を有している有孔ディスク５５が示されている。半円形のカバー５８は、リバースロック６１を有する有孔ディスク５５を覆うものであり、又このカバー５８は、管状の部材５９により有孔ディスクに対して回転し得るようになっている。ステム１１内へと差込まれた管状の部材５９はストッパー６０を有しており、図示されていない容器の製品放出開口へと接続されている。図４１及び図４２に示される様に、導管５７が流通自在になっている間中、カバー５８は通路６２を覆っている。エーロゾル製品が導管５７を通って流れて独特の音を生成することは、結果として有孔ディスク５５を音発生器５として機能せしめている。種々の乱流から生じる異なったノイズは、導管５７内において発生する層流の結果減じられる。従って有孔ディスク５５はまた、ノイズダンパー１３としても機能する。管状の部材５９を１８０度回転させることにより、カバー５８は導管５７の上へ移動する（図４３）。従って通路６２が流通自在となる。この回転させた状態では、製品が流出する際に、異なるより強力な放出流と連動した、別の音が生成される。ある特定の回転位置において、ストッパー６０は作動し、しかも、これは管状の部材５９の上端部に設けられた製品放出開口の旋回位置と相互に関連しており、そのため使用者には、旋回位置に依存した特定の流出の様子に関する情報が提供される。有孔ディスク５５には、通路６２の代わりに貫通するディスクの構成要素を備えることもできる。そのため管状の部材５９を回転させることにより、何本の導管５７が使用されるかが決定される。
【００９６】
図４４及び４５に示す実施例では、エーロゾル容器の流路６３内に、音発生器として音響唇弁６４が設けられている。これは、弁ハウジング４５の下端部に継いで接続されている。従って、製品の放出によって独特の音が生成される。音響唇弁６４は製品が流れることによって振動し、移動する。音響唇弁６４は、弁ハウジング４５と接続することにより、弁ハウジング４５と単一の工程で製造され得る。弁ハウジング４５の下側部分に音響唇弁の適切な配置を行うことによって製品は流通するので、音響唇弁６４を貼りふさいで音響唇弁６４の機能を制限するようなことはない。放出機構として働くエーロゾル容器用スプレーヘッド（図示せず）を押下することにより弁４４は開く。製品は音響唇弁６４の周りを流通し、弁４４を通って上方へ流通し、又製品が放出されている間中音響唇弁６４にぶつかって心地好く感じられる音を生成する。音響唇弁６４は流路６３に対して一直線に延びている。従って、流通する製品は、比較的大きな流通断面で処理されるため、製品の流通に際して殆ど影響はない。音響唇弁６４の長さは、ある特定の周波数及びその倍音の共鳴のために設計されている。音響唇弁６４は、下方へ向ける代わりに上方へ向けることも可能である（図４６、図４７）。
【００９７】
図４８、４９及び５０に示す実施例では、２つの音響唇弁６４が設けられている。これらは流路６３の向きとは直角をなして、互いに向き合って一直線に合わされている。これら自身の間にはギャップ６５が形成されている。このようにして比較的強い音が生成される。これに代えて、これらの音響唇弁６４を互いにオーバーラップさせることも可能であり（図５１、５２及び５３）、この場合より大きな音の強さを得ることが可能である。これら２つの実施例では、比較的細い通路が流路６３内に設けられており、ここを通して製品を流通させる必要がある。通路は、一方ではギャップ６５によって得られ（図４９）、他方、この通路は、オーバーラップして配置されている音響唇弁が上方へ旋回して互いに外方へ押されることによって得られる（図５２）。音響唇弁６４の縁部にある凹部６７は、流路６３内において、音響唇弁６４が旋回するのを許容する。凹部６７を通って流通する一部の製品が、そこにおいて更なる音を発生させる。得られる音は、一方では音響唇弁６４の振動及びこれらの互いの間隔に依存し、他方、凹部６７の大きさにも依存する。この音はまた、比較的心地好く感じられる。
【００９８】
縦方向の音響唇弁６４（図４４）は、音発生器５として、例えば髪を自然に抑えておくようなヘアースプレーに使用され得る。一方、図４９及び５２の音響唇弁６４は、音発生器５として、髪を強く、また特別に強くに抑えておくためのヘアースプレーに見られるものである。製品放出音の音色によって、どんなヘアースプレーが噴射されているかについて使用者に合図を送る。
【００９９】
図５４〜５７に示す実施例によれば、エーロゾル容器より製品を放出する際、非常に特別な、口笛を吹くような音が得られる。音響唇弁６４の上流側に流通阻止部品６９の通路６８が設けられることに加えてさらに、音響唇弁６４の縁部７０は通路６８と共に唇状のホイッスル７１を形成している。通路６８のギャップ間隔、或いは縁部７０と通路６８との間隔を変えることにより、生成される音の周波数は変更される。このようにして、製品放出時に使用者にとって心地好く感じられるように音は調節される。図５４〜５７に示される条件に従えば、中間周波数範囲における比較的豊かな音色が生成される。音響唇弁６４はまた、音響唇弁を頂上から底まで完全に分割するギャップを有し得る。第１の音は第２の音に沿って聞こえ、その際にも、比較的心地好い音響パターンを生成する。
【０１００】
図５８及び５９に示す実施例では、流通方向に延び、かつ、流路６３と隣り合っている多数の溝７３が、ノイズダンパー１３と同時に音発生器５として設けられている。流路６３は、容器１の弁４４のステム１１が押しつけられた際に流路６３を通じてエーロゾル製品を放出させるために使用される。これらの溝７３は、好ましくは弁４４の弁ハウジング４５の鍔部７２内における凹部として形成される。従って、流路６３のこの範囲における乱流は低減され得る。これらの乱流を除去することで、外方へ流出するエーロゾル製品の乱流により生じる周波数成分は減衰する。同時に、溝７３は別の音を生成する。この周波数変化は比較的心地好く感じられる。好適な音は、溝７３の数と同様に、溝７３の長さ、幅及び深さに影響される。溝７３は、もっと高い位置に備えることも可能であり、昇水管６６の内側や、ステム１１の内側にも設けられ得る。これらはいつも同じ機能を発揮するが、これらの厳密な位置に依存して、製品放出音に付き異なった効果を有する。
【０１０１】
図６０に示す実施例では、漏斗状のスピーカ７４が、音発生器５として、及びノイズダンパー１３として設けられ、そのスピーカは、容器１の製品放出開口３に隣接してノズル１２を形成している。スピーカ７４は、ノズル１２より外方へと広がってゆくにつれて増大する直径を有している。メガホン内部と同じ要領で、製品放出中の音は改められると同時に増幅される。ノズルから放たれる噴霧円錐体は、十分に自由な空間をスピーカ７４内に有している。ヘッド７５は、凹部９を介して容器１のステム１１の上に据え置かれる。ヘッド７５を押下すれば、エーロゾルはステム１１、噴霧管１０、ノズル１２及びスピーカ７４を通って外方へ流出し、また周波数シフトおよび音の増幅を通じて、スピーカ７４内において心地好く感じられる音が得られる。このとき、ヘッド７５は放出機構４として利用される。
【０１０２】
図６１に示す実施例では、容器１上に載置可能なキャップ７のボタン６が、放出機構４として設けられている。ボタン６は、噴霧管１０の壁１５に機械的に作用している。壁１５はまた、容器１のステム１１に機械的に作用している。ボタン６を押すと、ステム１１の直下にある弁（図示せず）が開き、そのため、製品は噴霧管１０およびノズル１２を通って外方へ噴射される。図６１に示す実施例では、スピーカ７４は、ノイズダンパー１３と同時に、音発生器５として機能する。
【０１０３】
図６２〜６４に示す実施例では、音響リブ１６が音発生器５として設けられており、その一方はエーロゾルの充填された容器１のステム１１の上に載置されるヘッド７５へと接続され、他方は容器１のリムにもたせかけてある。音響リブ１６は出っ張り部７６を用いることによりリム８の下側にかみあわせてあり、比較的強固に配置されている。切り取り式の部品７８は、弱くした線状部７９において屈曲され、ヘッド７５より分離され得る。従って、使用者は切り取り式の部品の有無によりシンプルな、或いは改善された音を二者択一的に発生させ得る。
【０１０４】
図６５〜６７に示す実施例では、容器のリム８の底部とかみあっており、かつ、弱くした線状部７９を用いることにより２つの音響リブ１６と接続されている切り取り式のリング７７が、改良された手法によって容器１に備えられている。まず、輸送目的で備えられる切り取り式のリング７７が、弱くした線状部７９に沿って壊すことにより切り離される。次に、放出機構４として機能するヘッド７５が押下される。ステム１１、噴霧管１０及びノズル１２を通って引き出された製品は音を生成する。この音は大きさが不揃いの２つの音響リブが振動して生じるものである（図６６）。こうして、心地良く感じられる２つの音が得られる。
【０１０５】
図６８〜７０に示す実施例では、導管として形成された環状流路が、音発生器としてエーロゾル容器に設けられている。環状流路８０は、弁４４の弁胴８１の中にある。ステム１１を押すことで弁４４は開き、エーロゾル製品は流路６３を通って外方へ流出する。ステム１１に入る前における流れの乱流によって、比較的少量の製品の流れは環状流路８０に到達し、そこにおいて共鳴振動を発生させる。環状流路８０へ入る入口において生じる、スプレー用液体圧縮不活性ガスを気相にするような膨張は、環状流路８０内で圧力を変化させ、製品が放出される間中追加の音を発生させる。
【０１０６】
図７１及び７２に示す実施例では、容器１としてエーロゾル容器が設けられている。昇水管６６は弁４４へと延びている。昇水管６６は、音発生器５として機能する延長部８２を有している。延長部８２は、容器の底壁８３のみに（図７２）、或いはまた、容器の底壁８３及び側壁８４の双方に（図７１）もたせかけてある。従って延長部８２においては、昇水管６６内を流れるエーロゾルの流通音は増幅される。他方、増幅された音は容器壁に伝達されるため、容器壁は共鳴器として機能する。得られる音は壁の大きさに依存しており、特に、アルミニウム容器の場合、僅かに低く、心地好く感じられる音が製品が放出される間中得られる。図７１に示す実施例では、昇水管６６のために２箇所の伝達位置があるため、一方の側壁における定常波と、他方の底壁における定常波との間で振幅シフトが発生する。これはまた、音響パターンを都合好く変化させる。
【０１０７】
図７３に示す実施例では、容器１はエーロゾル容器であり、その底壁８３には、音発生器５として、厚い壁厚８６と薄い壁厚８５とが交互に設けられる。従って、底壁８３は、製品が放出される際に改められた音響パターンを生成する。心地好いものが得られるように探し求めていたエーロゾルの放出音は、強度差、及び厚い方の壁厚の大きさ次第で実現され得る。さらに、底壁８３に代わって側壁８４であっても同様な効果を得ることが出来、或いは一定壁厚であっても波型形状の壁であれば同様の結果を得ることができる。
【図面の簡単な説明】
【図１】キャップ付きエーロゾル容器の側面図であって、一部縦断面視を伴うものである。キャップは、エーロゾル容器上に装着され得るものであり、キャップ内には、ノズルへと延びる、音響リブを備えた噴霧管が設けられている。噴霧管の内部表面には、角が全く見られない。
【図２】図１のＡ−Ａ線断面図であり、噴霧管は図１にいう音響リブを４つ備えている。
【図３】エーロゾル容器用キャップの縦断面図であり、キャップ内にはノズルへと延びる噴霧管が設けられている。噴霧管は吸音材料によって包囲されている。
【図４】図３のＡ−Ａ線断面図であり、噴霧管、および吸音材料を示している。
【図５】ノズルへと延びる噴霧管の縦断面図である。噴霧管は、発泡材料が隣接した非発泡材料により包囲されており、その外側には境界層としてのフィルムを有している。
【図６】キャップ付きエーロゾル容器の側面図であって、一部縦断面視を伴うものである。キャップはエーロゾル容器上に装着され得るものである。キャップ内には螺旋体を備えた噴霧管が設けられており、ノズルへと延びている。
【図７】図６のＡ−Ａ線断面図である。
【図８】エーロゾル容器の噴霧管の縦断面図である。噴霧管の壁は比較的硬質なプラスチックからなり、音響リブとしても、また補剛リブとしても役立つリブを備えている。
【図９】図８のＡ−Ａ線断面図である。
【図１０】キャップ付きエーロゾル容器の側面図であって、一部縦断面視を伴うものである。キャップは、エーロゾル容器上に装着され得るものである。キャップ内にはノズルへと延びる噴霧管が設けられている。噴霧管は、曲がりくねった形をした音響リブを備えている。
【図１１】図１０のＡ−Ａ線断面図である。
【図１２】キャップ付きエーロゾル容器の側面図であって、一部縦断面視を伴うものである。キャップは、エーロゾル容器上に装着され得るものである。キャップ内には管の入れ子を備えた噴霧管が設けられており、ノズルへと延びている。
【図１３】図１２のＡ−Ａ線断面図であって、図１２の噴霧管を示すものである。
【図１４】図１３と同じものの断面図ではあるが、２本の支流管が備えられているものである。
【図１５】キャップ付きエーロゾル容器の側面図であって、一部縦断面視を伴うものである。キャップは、エーロゾル容器上に装着され得るものである。キャップ内にはノズルへと延びる噴霧管が設けられ、またその噴霧管には噴霧管の延長部分が設けられている。
【図１６】ハニカム構造体内に入れられた噴霧管の断面図である。
【図１７】多数の矩形ハニカムを備えたハニカム構造体の側面図である。
【図１８】エーロゾル容器上に装着され得るキャップの側面図であって、一部縦断面視を伴うものである。キャップ内にはノズルへと延びる噴霧管が設けられている。噴霧管には、ボタンにある湾曲させた部品、２個の切り替え部品、サウンドチップ、及び電池が備えられている。
【図１９】キャップ付きエーロゾル容器の側面図であって、一部縦断面視を伴うものである。キャップは、エーロゾル容器上に装着され得るものである。キャップ内にはノズルへと延びる噴霧管が設けられている。噴霧管は、多数の単一導管によって形成されている。
【図２０】図１９のＡ−Ａ線断面図であって、図１９の噴霧管を示すものである。
【図２１】エーロゾル容器上に装着され得るキャップの側面図であって、一部縦断面視を伴うものである。キャップ内にはノズルへと延びる噴霧管が設けられている。噴霧管内には、唇状部が形成されている。
【図２２】図２１のＡ−Ａ線断面図であって、図２１の噴霧管を示すものである。
【図２３】唇状部を備えた、図２１に示される噴霧管の一部分を拡大した図である。
【図２４】エーロゾル容器の弁板の縦断面図である。弁板には、ノイズダンパーとしてのポリウレタンラッカーが塗布されている。
【図２５】図２４と同様の弁板の縦断面図であるが、ノイズダンパーとしてポリウレタン発泡体が備えられている。
【図２６】エーロゾル容器上に装着され得るキャップの側面図であって、一部縦断面視を伴うものである。キャップ内にはノズルへと延びる噴霧管が設けられている。ノズルは、差込口を有しており、この差込口は柔軟なプラスチックからなっている。
【図２７】キャップ付きエーロゾル容器の側面図であって、一部縦断面視を伴うものである。キャップは、エーロゾル容器上に装着され得るものである。キャップ内にはノズルへと延びる噴霧管が設けられており、またキャップ内にはディスク状の共鳴平面が備えられている。
【図２８】図２７と同様の側面図であって、一部縦断面視を伴うものであるが、縦方向に一直線に揃えられた２枚の共鳴平面を備えているものである。
【図２９】図２８のキャップの底面図である。
【図３０】図２７と同様の側面図であって、一部縦断面視を伴うものであるが、環状の共鳴平面を備えているものである。
【図３１】図３０のキャップの底面図である。
【図３２】エーロゾル容器の弁及び弁板の縦断面図である。弁と弁板との間には音響バリア層が設けられている。
【図３３】図３２と同様の縦断面図であるが、弁ハウジングと弁板との間には分離型のシールが備えられている。
【図３４】一部縦断面視を伴うエーロゾル容器の側面図であって、エーロゾル容器上に装着されるキャップをその上に備えたものである。キャップ内にはノズルへと延びる噴霧管が設けられる。噴霧管はボタンに押され、またボタンとキャップとの間にはシーリングリップの形状をした音響シールが備えられる。
【図３５】ボタン非作動時における、音響シールの２つのシーリングリップの縦断面図である。
【図３６】図３５と同様の縦断面図であってボタン作動時のものである。
【図３７】エーロゾル容器用キャップの側面図であって、キャップとキャップのボタンとの間の音響シールとして、柔軟性のある接続部が設けられているものである。
【図３８】ボタン非作動時における、キャップとボタンの間にある音響シールの柔軟性のある接続部の断面図である。
【図３９】図３８と同様の断面図であって、ボタン作動時のものである。
【図４０】エーロゾル容器のステムの縦断面図であって、ステム内において局所的に層流を発生させるために、導管の設けられた有孔ディスクが環状の戻り止め部材を用いることによって正しい位置にぱちんと嵌められているものである。
【図４１】図４０と同様の断面図であるが、回転固定式の有孔ディスクを備えたものでありる。回転固定式の有孔ディスクの半分には多数の導管が見られ、又別の半分には通路が設けられている。回転固定式の有孔ディスクはまた、ステム内に差込まれた管状の部材に接続された半円形のカバーを備えている。
【図４２】図４１のＡ−Ａ線断面図であって、カバーが通路を覆っているものである。
【図４３】図４２と同様の図４１のＡ−Ａ線断面図であるが、開口部が１８０度変わっており、導管がカバーされ、通路が開放されているものである。
【図４４】弁板を備えた弁、弁ハウジング、ステム、及び弁ハウジングの下端部にあって、エーロゾル容器内において用いられる昇水管の縦断面図であって、流路内には、流路の方向において、下方へ向かって一直線に延びる音響唇弁が設けられている。
【図４５】図４４のＡ−Ａ線断面図であって、音響唇弁は図４４のものである。
【図４６】図４４と同様の縦断面図であるが、音響唇弁が上方向へ延びているものである。
【図４７】図４６のＡ−Ａ線断面図であって、音響唇弁は図４６のものである。
【図４８】図４４と同様の縦断面図であるが、相接する２枚の、一直線に合わされた音響唇弁が流路内に備えられているものである。
【図４９】図４８に示す音響唇弁の拡大図である。
【図５０】図４９のＡ−Ａ線断面図である。
【図５１】図４８と同様の縦断面図であるが、部分的にオーバーラップしている音響唇弁が備えられているものである。
【図５２】図５１に示す音響唇弁の拡大図である。
【図５３】図５２のＡ−Ａ線断面図である。
【図５４】図４４と同様の縦断面図であるが、音響唇弁の下側の先端に縁部が備えられており、唇状のホイッスルを構成するため、その縁部が流通阻止部品の通路に達しているものである。
【図５５】図５４の一部を拡大した縦断面図である。
【図５６】図５５のＡ−Ａ線断面図である。
【図５７】図５５のＢ−Ｂ線断面図である。
【図５８】弁板を備えた弁、弁ハウジング、ステム及びエーロゾル容器内において用いられる昇水管の縦断面図であって、弁ハウジングの鍔部には、流路に隣接した溝が多数設けられている。
【図５９】図５８のＡ−Ａ線断面図であって、図５８の溝の領域を拡大したものである。
【図６０】一部縦断面視を伴うエーロゾル容器の側面図であって、そのステムの上にはヘッドが装着される。ヘッドには噴霧管、ノズル及び漏斗形のスピーカが設けられている。
【図６１】図６０と同様の、一部縦断面視を伴う側面図であるが、キャップとして整形されたヘッドが備えられている。
【図６２】一部縦断面視を伴う、ヘッドが装着されたエーロゾル容器の側面図であって、ヘッドと、容器の上側のリムとの間には、音響リブが架け渡され、固定されている。
【図６３】図６２の音響リブのヘッドへの係合部分の詳細拡大図である。
【図６４】図６２の弱くした線状部を示す、別の詳細拡大図である。
【図６５】図６２と同様の、一部縦断面視を伴う側面図であるが、２つの音響リブが備えられており、また切り取り式のリングが、音響リブの下部に備えられている。
【図６６】図６５の対象を上から見た平面図である。
【図６７】音響リブと切り取り式リングとの接続部分を拡大した詳細図である。
【図６８】ステムと弁板を備えた、エーロゾル容器の弁の縦断面図である。
弁胴内部には、環状流路が設けられている。
【図６９】図６８よりの詳細拡大図である。
【図７０】図６９の対象を、図６９のＡ−Ａ線に沿って切断した断面図である。
【図７１】弁へと延びる昇水管を有する、エーロゾル容器として形成された容器の一部縦断面視を伴う側面図である。昇水管は、音発生器として機能する延長部を有しており、延長部は容器の底壁又は側壁にもたせかけてある。
【図７２】一部縦断面視を伴う、図７１と同じ対象の側面図であるが、螺旋形の延長部が備えられており、上記延長部は、底壁にのみもたせかけてある。
【図７３】弁へと延びる昇水管を有する、エーロゾル容器として形成された容器の一部縦断面視を伴う側面図である。ここで容器底壁には、音発生器として、薄い壁厚と厚い壁厚とが交互に設けられている。
【符号の説明】
１　容器
２　タンク
３　製品放出開口
４　放出機構
５　音発生器
６　ボタン
７　キャップ
８　リム
９　凹部
１０　噴霧管
１１　ステム
１２　ノズル
１３　ノイズダンパー
１４　屈曲部
１５　壁
１６　音響リブ
１７　発泡材料
１８　非発泡材料
１９　フィルム
２０　螺旋体
２１　補剛リブ
２２　接続部
２３　音響リブ１６の一部
２４　管の入れ子
２５　支流管
２６　噴霧管の延長部分
２７　ハニカム
２８　ハニカム仕切壁
２９　ハニカム構造体
３０　サウンドチップ
３１、３２　切り替え部品
３３　電池
３４　湾曲させた部品
３５　単一導管
３６　唇状部
３７　弁板
３８　弁板における吸収体
３９　ポリウレタンラッカー
４０　ポリウレタン発泡体
４１　シール
４２　差込口
４３　共鳴平面
４４　弁
４５　弁ハウジング
４６　音響バリア層
４７　音響バリア層４６の一部分
４８　シール
４９　音響シール
５０、５１　シーリングリップ
５２　柔軟性のある接続部
５３　ボタン６の縁部
５４　蓋７の境界領域
５５　有孔ディスク
５６　戻り止め部材
５７　導管
５８　カバー
５９　管状の部材
６０　ストッパー
６１　リバースロック
６２　通路
６３　流路
６４　音響唇弁
６５　ギャップ
６６　昇水管
６７　凹部
６８　通路
６９　流通阻止部品
７０　縁部
７１　唇状のホイッスル
７２　鍔部
７３　溝
７４　スピーカ
７５　ヘッド
７６　出っ張り部
７７　切り取り式のリング
７８　切り取り式の部品
７９　弱くした線状部
８０　環状流路
８１　弁胴
８２　延長部
８３　底壁
８４　側壁
８５　薄い壁厚
８６　厚い壁厚
【図１】
0003099331.tif 000003
【図２】
0003099331.tif 000004
【図３】
0003099331.tif 000005
【図４】
0003099331.tif 000006
【図５】
0003099331.tif 000007
【図６】
0003099331.tif 000008
【図７】
0003099331.tif 000009
【図８】
0003099331.tif 000010
【図９】
0003099331.tif 000011
【図１０】
0003099331.tif 000012
【図１１】
0003099331.tif 000013
【図１２】
0003099331.tif 000014
【図１３】
0003099331.tif 000015
【図１４】
0003099331.tif 000016
【図１５】
0003099331.tif 000017
【図１６】
0003099331.tif 000018
【図１７】
0003099331.tif 000019
【図１８】
0003099331.tif 000020
【図１９】
0003099331.tif 000021
【図２０】
0003099331.tif 000022
【図２１】
0003099331.tif 000023
【図２２】
0003099331.tif 000024
【図２３】
0003099331.tif 000025
【図２４】
0003099331.tif 000026
【図２５】
0003099331.tif 000027
【図２６】
0003099331.tif 000028
【図２７】
0003099331.tif 000029
【図２８】
0003099331.tif 000030
【図２９】
0003099331.tif 000031
【図３０】
0003099331.tif 000032
【図３１】
0003099331.tif 000033
【図３２】
0003099331.tif 000034
【図３３】
0003099331.tif 000035
【図３４】
0003099331.tif 000036
【図３５】
0003099331.tif 000037
【図３６】
0003099331.tif 000038
【図３７】
0003099331.tif 000039
【図３８】
0003099331.tif 000040
【図３９】
0003099331.tif 000041
【図４０】
0003099331.tif 000042
【図４１】
0003099331.tif 000043
【図４２】
0003099331.tif 000044
【図４３】
0003099331.tif 000045
【図４４】
0003099331.tif 000046
【図４５】
0003099331.tif 000047
【図４６】
0003099331.tif 000048
【図４７】
0003099331.tif 000049
【図４８】
0003099331.tif 000050
【図４９】
0003099331.tif 000051
【図５０】
0003099331.tif 000052
【図５１】
0003099331.tif 000053
【図５２】
0003099331.tif 000054
【図５３】
0003099331.tif 000055
【図５４】
0003099331.tif 000056
【図５５】
0003099331.tif 000057
【図５６】
0003099331.tif 000058
【図５７】
0003099331.tif 000059
【図５８】
0003099331.tif 000060
【図５９】
0003099331.tif 000061
【図６０】
0003099331.tif 000062
【図６１】
0003099331.tif 000063
【図６２】
0003099331.tif 000064
【図６３】
0003099331.tif 000065
【図６４】
0003099331.tif 000066
【図６５】
0003099331.tif 000067
【図６６】
0003099331.tif 000068
【図６７】
0003099331.tif 000069
【図６８】
0003099331.tif 000070
【図６９】
0003099331.tif 000071
【図７０】
0003099331.tif 000072
【図７１】
0003099331.tif 000073
【図７２】
0003099331.tif 000074
【図７３】
0003099331.tif 000075
【手続補正書】
【提出日】平成15年9月24日(2003.9.24)
【手続補正１】
【補正対象書類名】明細書
【補正対象項目名】実用新案登録請求の範囲
【補正方法】変更
【補正の内容】
【実用新案登録請求の範囲】
【請求項１】
タンク、製品放出開口及び、前記タンク内に存在する製品を前記製品放出開口を通じて外方へ放出するための放出機構を有する容器であって、音発生器（５）又はノイズダンパー（１３）が前記容器（１）に備えられ、かつ、前記音発生器（５）又は前記ノイズダンパー（１３）が、製品を放出する際に所望の製品放出音を発生させるために前記放出機構（４）と機能的に接続されていることを特徴とする容器。
【請求項２】
前記容器（１）がエーロゾル容器又は噴霧ポンプ容器であって、ノズル（１２）へと延びる噴霧管（１０）が前記容器（１）上に備えられ、しかも前記噴霧管（１０）は、連続した内壁（１５）の屈曲部（１４）を有していることを特徴とする請求項１に記載の容器。
【請求項３】
少なくとも１つの音響リブ（１６）が、前記噴霧管（１０）に備えられており、そのリブが、前記噴霧管（１０）より外方へ放射状に配置されていることを特徴とする請求項１又は請求項２に記載の容器。
【請求項４】
前記噴霧管（１０）の周辺が、ノイズダンパー（１３）としての吸音材料（１７，１８）で包囲されていることを特徴とする請求項１、請求項２又は請求項３に記載の容器。
【請求項５】
前記噴霧管（１０）が、吸音材料から成るいくつかの層（１９）によって包囲されており、かつ、少なくとも１つの層（１９）が発泡材料（１７）又は非発泡材料（１８）を含んでいることを特徴とする請求項４に記載の容器。
【請求項６】
前記ノイズダンパー（１３）が前記噴霧管（１０）の周りに配置される螺旋体（２０）であって、前記螺旋体（２０）が、波形に形成された紙又はティッシュペーパーからなっていることを特徴とする請求項１に記載の容器。
【請求項７】
前記容器（１）上に載置され得るキャップ（７）のボタン（６）が、放出機構（４）として備えられ、このボタン（６）が前記噴霧管（１０）の前記壁（１５）に機械的に作用し、かつ前記壁（１５）は、前記容器（１）のステム（１１）に機械的に作用することを特徴とする請求項１、請求項３、請求項４又は請求項６に記載の容器。
【請求項８】
前記噴霧管（１０）の前記材料（１８）が、前記音響リブ（１６）の前記材料（１７）よりも硬いか、あるいは柔らかいことを特徴とする請求項１に記載の容器。
【請求項９】
少なくとも１つの補剛リブ（２１）が前記噴霧管（１０）に備えられていることを特徴とする請求項１又は請求項８に記載の容器。
【請求項１０】
前記音響リブ（１６）が、少なくとも１つの接続部（２２）を用いることによって、前記容器上に載置され得るキャップ（７）の内表面へと、射出成形で接続されていることを特徴とする請求項３又は請求項８に記載の容器。
【請求項１１】
前記容器がエーロゾル容器又は噴霧ポンプ容器であって、ノズル（１２）へと延びる噴霧管（１０）が前記容器（１）上に設けられており、前記噴霧管（１０）は、前記噴霧管（１０）内に延びる管の入れ子（２４）を有しているか、或いは前記噴霧管（１０）が、互いに平行に延びている数本の支流管（２５）から成っているかのいずれかであることを特徴とする請求項１に記載の容器。
【請求項１２】
前記容器がエーロゾル容器又は噴霧ポンプ容器であって、ノズル（１２）へと延びる噴霧管（１０）が前記容器（１）上に設けられており、前記噴霧管（１０）は、ある周波数範囲では音発生器（５）として機能し、また別の周波数範囲ではノイズダンパー（１３）として機能する前記噴霧管（１０）の延長部分（２６）を有していることを特徴とする請求項１に記載の容器。
【請求項１３】
前記容器がエーロゾル容器又は噴霧ポンプ容器であって、ノズル（１２）へと延びる噴霧管（１０）が前記容器（１）に設けられており、前記噴霧管（１０）は、前記噴霧管（１０）より外方へ向くように方向付けられた多数のハニカム（２７）を有するハニカム構造体（２９）によって包囲されており、前記ハニカム（２７）は、前記噴霧管（１０）に対して放射状に配置されていることを特徴とする請求項１に記載の容器。
【請求項１４】
サウンドチップ（３０）が、音発生器（５）として備えられていることを特徴とする請求項１〜請求項１３のいずれか１項に記載の容器。
【請求項１５】
前記サウンドチップ（３０）がプログラム可能になっていることを特徴とする請求項１４に記載の容器。
【請求項１６】
前記サウンドチップ（３０）には、選択することが可能な数個のプログラムが含まれていることを特徴とする請求項１５に記載の容器。
【請求項１７】
前記選択は前記放出機構（４）の位置に依存することを特徴とする請求項１６に記載の容器。
【請求項１８】
前記サウンドチップ（３０）が、少なくとも１つのスピーチプログラムを含んでいる事を特徴とする請求項１４〜請求項１７のいずれか１項に記載の容器。
【請求項１９】
前記容器がエーロゾル容器又は噴霧ポンプ容器であって、ノズル（１２）へと延びる噴霧管（１０）が前記容器（１）に設けられており、前記噴霧管（１０）は、ある周波数範囲では音発生器（５）として機能し、また別の周波数範囲ではノイズダンパー（１３）として機能する数本の単一導管（３５）を有していることを特徴とする請求項１に記載の容器。
【請求項２０】
前記容器がエーロゾル容器又は噴霧ポンプ容器であって、ノズル（１２）へと延びる噴霧管（１０）が前記容器（１）に設けられており、前記噴霧管（１０）は、ある周波数範囲では音発生器（５）として機能し、また別の周波数範囲ではノイズダンパー（１３）として機能する唇状部（３６）を有していることを特徴とする請求項１に記載の容器。
【請求項２１】
前記容器（１）はエーロゾル容器であって、弁板における吸収体（３８）が前記エーロゾル容器の弁板（３７）上においてノイズダンパー（１３）として設けられていることを特徴とする請求項１に記載の容器。
【請求項２２】
前記弁板における吸収体（３８）が、前記弁板（３７）に適用された吸音材料（３９，４０）から成る層であることを特徴とする請求項２１に記載の容器。
【請求項２３】
前記容器（１）はエーロゾル容器であって、噴霧管（１０）の端部にある出口に差込口（４２）を備えており、前記差込口（４２）は　ノズル（１２）を備えており、しかも前記差込口（４２）は柔軟なプラスチックから成っているか、或いは前記差込口（４２）が前記噴霧管（１０）に柔軟な接着剤を用いて接続されているかのいずれかであることを特徴とする請求項１に記載の容器。
【請求項２４】
前記容器（１）のキャップ（７）の内側に、共鳴平面（４３）が、音発生器（５）として設けられていることを特徴とする請求項１に記載の容器。
【請求項２５】
前記容器はエーロゾル容器であって、弁（４４）、弁板（３７）、弁ハウジング（４５）及びステム（１１）を有し、しかも前記弁（４４）と前記弁板（３７）との間にはノイズダンパー（１３）として音響バリア層（４６）が設けられていることを特徴とする請求項１に記載の容器。
【請求項２６】
前記音響バリア層の一部分（４７）が、前記弁ハウジング（４５）と前記ステム（１１）との間のシールとして設けられていることを特徴とする請求項２５に記載の容器。
【請求項２７】
前記容器（１）はエーロゾル容器又は噴霧ポンプ容器であって、前記容器（１）上に載置され得るキャップ（７）のボタン（６）が、放出機構として設けられ、しかも音響シール（４９）がノイズダンパー（１３）として、前記ボタン（６）と前記キャップ（７）との間に備えられていることを特徴とする請求項１に記載の容器。
【請求項２８】
前記シール（４９）は、２つのシーリングリップ（５０，５１）を用いて構成され得、一のシーリングリップ（５１）はキャップ（７）上に設けられ、他のシーリングリップ（５０）はボタン（６）上に設けられていることを特徴とする請求項２７に記載の容器。
【請求項２９】
前記シール（４９）は、ボタン（６）と、ボタン（６）の縁部（５３）に隣接したキャップ（７）の縁部（５４）との間の柔軟性のある接続部（５２）によって得られることを特徴とする請求項２７に記載の容器。
【請求項３０】
ステム（１１）内に差込まれた有孔ディスク（５５）が、ある周波数範囲では音発生器（５）として、また別の周波数範囲ではノイズダンパー（１３）として機能し、前記有孔ディスクは、多数の導管（５７）を有し、戻り止め部材（５６）によって前記ステム（１１）内に嵌め込まれることを特徴とする請求項１に記載の容器。
【請求項３１】
前記有孔ディスク（５５）は、片側のみに導管（５７）を有し、半円形に形成されたカバー（５８）が、リバースロック（６１）を備えた前記有孔ディスク（５５）上を部分的に覆い、前記カバーは、ステム（１１）内に差込まれ、ストッパー（６０）を有しており、又前記容器の製品放出開口に接続されている管状の部材（５９）によって、有孔ディスクに関して回転可能になっていることを特徴とする請求項３０に記載の容器。
【請求項３２】
エーロゾル容器の流路（６３）に差込まれた音響唇弁（６４）が、音発生器（５）として備えられ、弁ハウジング（４５）の下部に接続されていることを特徴とする請求項１に記載の容器。
【請求項３３】
前記音響唇弁（６４）が流路（６３）の方向に一直線に配置されていることを特徴とする請求項３２に記載の容器。
【請求項３４】
２つの音響唇弁（６４）が備えられ、前記流路（６３）の方向と垂直な方向に配置され、両者の間にギャップ（６５）が形成される様に互いが関係付けられて配置されていることを特徴とする請求項３２に記載の容器。
【請求項３５】
前記音響唇弁（６４）がオーバーラップしていることを特徴とする請求項３３に記載の容器。
【請求項３６】
流通阻止部品（６９）の通路（６８）が、前記音響唇弁（６４）の上流に設けられ、前記音響唇弁（６４）の一方の縁部（７０）は、通路（６８）と共に唇状のホイッスル（７１）を形成していることを特徴とする請求項３２に記載の容器。
【請求項３７】
流れの方向に延びる数本の溝（７３）と、これに隣接する流路（６３）が、ノイズダンパー（５）及び音発生器（１３）として設けられ、その溝は、弁（４４）の弁ハウジング（４５）の鍔部（７２）内にある凹部からなっていることを特徴とする請求項１に記載の容器。
【請求項３８】
漏斗状のスピーカ（７４）が音発生器（５）及びノイズダンパー（１３）として備えられ、そのスピーカ（７４）は、ノズル（１２）の形状に形成された容器（１）の製品放出開口（３）に接しており、しかもノズルより外方へと広がってゆくにつれて増大する直径を有していることを特徴とする請求項１に記載の容器。
【請求項３９】
音響リブ（１６）が音発生器（５）として備えられ、一方はエーロゾルの満たされた容器（１）のステム（１１）に載置されたヘッド（７５）に接続されており、他方は容器（１）のリム（８）に寄り掛かっていることを特徴とする請求項１に記載の容器。
【請求項４０】
前記容器（１）は切り取り式のリング（７７）と共に提供され、その切り取り式のリング（７７）は、リム（８）の底面とかみあわせてあり、しかも弱くした線状部（７９）を用いることによって前記音響リブ（１６）と接続されていることを特徴とする請求項３９に記載の容器。
【請求項４１】
容器（１）の弁（４４）の弁胴（８１）内に導管として形成された環状流路（８０）が、音発生器（５）として設けられていることを特徴とする請求項１に記載の容器。
【請求項４２】
前記容器（１）はエーロゾル容器であって、弁（４４）へと導かれる昇水管（６６）を有しており、前記昇水管（６６）は音発生器（５）として機能する延長部（８２）を有しており、しかも前記延長部（８２）は前記容器（１）の側壁または底壁にもたせかけてあることを特徴とする請求項１に記載の容器。
【請求項４３】
容器（１）がエーロゾル容器であって、その側壁（８４）または底壁（８３）が、音発生器（５）として厚い壁厚（８６）と薄い壁厚（８５）を交互に有していることを特徴とする請求項１に記載の容器。